(57)【要約】【課題】取付けが容易な消音や断熱のための通風系の機能部品を得ること。また、消音部品の取付けが容易な通風系の端末器を得る。【解決手段】グラスウールの基材の一面に三次元多孔質の薄い繊維系のシートを積層し、基材のもう一面にアルミ箔を積層し、加熱加圧して所要の形状に型成形して消音断熱機能部品とする。また、通風路の室外開口端に装着される風雨避けのフード２を備えた通風端末器について、そのフード２の内面に、フード２の内面形状に合致するように型成形した消音機能部品３を嵌め装着する。その消音機能部品３は、グラスウールの基材６の一面に三次元多孔質の薄い繊維系のシート７を積層し、他面にアルミ箔１１を積層し、加熱加圧してフード２の内面形状に合致するように型成形したものとして、フード２内に嵌め装着する。【選択図】          図１
2004150523.tif 000002
【特許請求の範囲】
【請求項１】
グラスウールの基材に三次元多孔質の薄い繊維系のシート材を積層し、加熱加圧して所要の形状に型成形した通風系に使う消音断熱機能部品。
【請求項２】
グラスウールの基材に薄い金属系のシート材を積層し、加熱加圧して所要の形状に型成形した通風系に使う消音断熱機能部品。
【請求項３】
請求項１又は請求項２のいずれかに記載の通風系に使う消音断熱機能部品であって、シート材を基材の表裏面に重ねた通風系に使う消音断熱機能部品。
【請求項４】
通風路の室外開口端に装着される風雨避けのフードを備えた通風端末器であって、そのフードの内面に、同フードの内面形状に合致するように型成形した消音部品を嵌め装着した通風端末器。
【請求項５】
通風路の室外開口端に装着される風雨避けのフードを備えた通風端末器であって、そのフードの内面に、グラスウールの基材に三次元多孔質の薄い繊維系のシート材を積層し、加熱加圧して同フードの内面形状に合致するように型成形した消音部品を嵌め装着した通風端末器。
【請求項６】
請求項５に記載の通風端末器であって、消音部品を、グラスウールの基材に薄い金属系のシート材を積層し、加熱加圧してフードの内面形状に合致するように前記金属系のシート材が通風面に臨むように型成形した通風端末器。
【請求項７】
請求項５又は請求項６のいずれかに記載の通風端末器であって、消音部品の端縁に潰し加工による剛性部を設けた通風端末器。
【請求項８】
請求項５〜請求項７までのいずれかに記載の通風端末器であって、消音部品の端面に接着剤の塗布による端面処理を施した通風端末器。
【請求項９】
スクロールケーシング内で回転する羽根車を備えた送風機であって、そのスクロールケーシングを、グラスウールの基材に薄い金属系のシート材を積層し、加熱加圧して前記金属系のシート材が通風面に臨むように型成形した送風機。
【発明の詳細な説明】
【０００１】
【発明の属する技術分野】
本発明は、通風系の消音や断熱のために使う通風系の機能部品及び通風系の室外端末部を構成する通風端末器並びに通風系に通風する送風機に関するものである。
【０００２】
【従来の技術】
送風系の騒音を吸収するには、通風面にウレタンフォーム等の発泡樹脂やグラスウールを貼設する方法が広く採用されている。ウレタンフォーム等は、消音には有効であるが不燃材ではない。一方で、グラスウールは不燃材で断熱材としても消音材としても使用されている（例えば、特許文献１参照）。
【０００３】
【特許文献１】
特開２００１―２８９４７２号公報（第１ページ、図１）
【０００４】
【発明が解決しようとする課題】
上記した従来の通風系における消音材について、ウレタンフォーム等を使う場合、通風面に合った形状にフォーム材を裁断し、接着しなければならず、曲面で構成されることの多い通風面に対する組付けが大変面倒である。また、水や油が付着し易く、清掃し難く比較的短期間で機能低下するという問題点がある。一方でグラスウールによる消音は、ガラス繊維の飛散を防止する必要があり、袋に収めた形態で装着されるが、形状の安定性が乏しく、取付けが面倒なうえ外観性もあまり良くない。
【０００５】
本発明は、係る従来の問題点を解決するためになされたものであって、その課題とするところは、取付けが容易な消音や断熱のための通風系の機能部品を得ることであり、消音部品の取付けが容易な通風系の端末部器を得ることであり、消音部品の取付けが容易で、機能劣化の少ない通風系の端末器を得ることであり、不燃性と消音機能を備えた送風機を得ることである。
【０００６】
【課題を解決するための手段】
前記課題を達成するために本発明は、グラスウールの基材に三次元多孔質の薄い繊維系のシート材を積層し、加熱加圧して所要の形状に型成形する手段を採用する。
【０００７】
前記課題を達成するために他の発明は、通風路の室外開口端に装着される風雨避けのフードを備えた通風端末器について、そのフードの内面に、フードの内面形状に合致するように型成形した消音部品を嵌め装着する手段を採用する。
【０００８】
前記課題を達成するために他の発明は、通風路の室外開口端に装着される風雨避けのフードを備えた通風端末器について、そのフードの内面に、グラスウールの基材に三次元多孔質の薄い繊維系のシート材を積層し、加熱加圧して同フードの内面形状に合致するように型成形した消音部品を嵌め装着する手段を採用する。
【０００９】
前記課題を達成するために他の発明は、スクロールケーシング内で回転する羽根車を備えた送風機について、そのスクロールケーシングを、グラスウールの基材に薄い金属系のシート材を積層し、加熱加圧して金属系のシート材が通風面に臨むように型成形する手段を採用する。
【００１０】
【発明の実施の形態】
図によって示す本実施の形態は、通風系の室外開口端（多くは屋外開口端）に装着される風雨避けのフードを備えた通風端末器に関するものである。この通風端末器は、縦断面図である図１と横断面図である図３に示すように、通風系の室外開口端に嵌め装着されるパイプフレーム１と、このパイプフレーム１の上方から前方及び側方を覆うフード２と、消音機能部品３とから構成されている。フード２は、下方が開口したドーム型に、板金又はプラスチックで形成されていて、下部の開口部にはギャラリ又はメッシュの獣鳥虫類の侵入を防ぐ侵入防止部材４がネジ付けされている。
【００１１】
消音機能部品３は型成形物であり、フード２の通風面となる内面に密着状態に嵌め装着され、その下端は侵入防止部材４のネジ付け部品に設けられた受部品５に受承されている。本実施の形態の消音機能部品３を構成している基材６は、グラスウールである。その成形工程を図４に基づいて説明する。まず、基材６であるグラスウールを繰出しながらその片面に、図５に示すように不織布のシート７にポリエチレンフィルム８を重ねた表皮材Ａ９を、ポリエチレンフィルム８側をグラスウール側にして重畳する。これに併行して、グラスウールのもう一面側に、ポリエチレンフィルム８とガラスヤーンネット１０とアルミ箔１１を重ねた表皮材Ｂ１２を、ポリエチレンフィルム８をグラスウール側にして重合わせる。
【００１２】
この積層体１３を所定の大きさに裁断し、成形型１４のキャビティに収め加熱加圧して成形した後、トリミング工程で整形して消音機能部品３が成形される。表皮材Ａ９は、フード２の内面に密着する当り面を、表皮材Ｂ１２は、実質的な通風面を構成する。消音機能部品３の端縁は、図２に示すように潰し加工による密度の高い剛性部１５が設けられ、形状の安定性が図られている。また、消音機能部品３の端面全周には、クロロプレンゴム等の接着剤１６が塗布され、この端面処理によって端面からの水や油の染込みの防止とともに、表皮材Ａ９，Ｂ１２の解れが防止されている。
【００１３】
基材６は、当初５０ｍｍ程の厚さで、成形により３０ｍｍ程の厚さにされる。シート７は、三次元多孔質の薄い繊維系のシート材であれば、必ずしも不織布でなくても良い。ポリエチレンフィルム８は、２０μｍ程の厚さで接着剤として機能するものである。アルミ箔１１は、厚さ１５μｍ程の薄い金属系の箔材であればアルミ以外の材料でもよく、ガラスヤーンネット１０は、繊維系材料を用いれば良く、アルミ箔１１の馴染みを良くし成形性を高める機能材料である。アルミ箔１１に予め多数の小孔を開けておくことにより消音機能を向上させることができる。
【００１４】
なお、取付性の向上と外観性の向上とを図るのであれば、発泡樹脂で一体成形した消音機能部品３とすることもできる。
【００１５】
この消音機能部品３は、フード２内に嵌め装着するだけの簡単な操作で取付けることができ、表皮材Ａ９，Ｂ１２によってグラスウールのガラス繊維の飛散は防がれ、表皮材Ｂ１２によって水や油の染込みもなく、長期にわたり消音機能を果たし得る。そして、成形物であるため外観性が良く、通風面が円滑なため圧力損失も少ない。
【００１６】
水や油に対する対策の不用なものでは、表皮材Ａ９でグラスウールの両面を成形してもよく、密着させる当り面については、ガラス繊維が飛散することは無いのでグラスウールの成形面そのままでも良い。
【００１７】
この消音機能部品３の構造は、グラスウールに断熱性があり不燃物でもあることから、各種の通風系の消音や断熱のための消音断熱機能部品として使用することができる。例えば、図６に示すような温風暖房装置１７のヒータ１８と送風機１９との間の断熱をグラスウールの両面に表皮材Ｂ１２を型成形した断熱部品２０を設けて推し図ることができる。また、不燃材であるため、図７に示すように難燃性や不燃性が要求される場所に設置される送風機の羽根車を納めるスクロールケーシング２１を消音機能部品３と同様の構成の成形部品とすることもでき、軽量で消音性と不燃性を備えた送風機が得られる。
【００１８】
【発明の効果】
この発明によれば、取付けが容易な消音や断熱のための通風系の機能部品が得られる。
【００１９】
また、他の発明によれば、取付けが容易な消音のための通風系の端末器が得られる。
【００２０】
さらに、他の発明によれば、消音部品の取付けが容易で、機能劣化の少ない通風系の端末器が得られる。
【００２１】
また、他の発明によれば、不燃性と消音機能を備えた送風機が得られる。
【図面の簡単な説明】
【図１】実施の形態の通風端末器を示す縦断面図である。
【図２】図１のＡ矢印部の消音機能部品についての拡大断面図である。
【図３】実施の形態の通風端末器の横断面図である。
【図４】実施の形態の通風端末器の消音機能部品の成形工程を示す説明図である。
【図５】実施の形態の通風端末器の消音機能部品の構成を示す説明図である。
【図６】実施の形態の消音機能部品と同様の構成の断熱部品を使った温風暖房装置の断面図である。
【図７】実施の形態の消音機能部品と同様の構成の機能部品を使った送風機のスクロールを示す平面図である。
【符号の説明】
２  フード、  ３  消音機能部品、  ６  基材、  ７  シート、  １１  アルミ箔、  ２０  断熱部品、  ２１  スクロールケーシング、  １５  剛性部、  １６  接着剤。
【図１】
2004150523.tif 000003
【図２】
2004150523.tif 000004
【図３】
2004150523.tif 000005
【図４】
2004150523.tif 000006
【図５】
2004150523.tif 000007
【図６】
2004150523.tif 000008
【図７】
2004150523.tif 000009